(57)【要約】【課題】ガス消費器具とガス配管との接続作業およびエアパージ作業を容易におこなうことが可能なガス栓およびその接続方法の提供。【解決手段】  ガス栓１は、ガス通路が設けられた栓本体２と、ガス通路を開放する開位置と閉塞する閉位置との間で移動可能な弁体とを備えている。栓本体２は、フレキシブル管Ｐが接続される管接続部２Ａと、ガスコンロ２０に取り付けられたソケット継手５０に接続されるソケット継手接続部２Ｂとを有している。ガス栓１は、フレキシブル管Ｐを管接続部２Ａに接続した状態で、ソケット継手５０にソケット継手接続部２Ｂを嵌入することによってガスコンロ２０に接続される。【選択図】図２
2019199917.tif 000002
【特許請求の範囲】
【請求項１】
内部にガス通路が設けられた栓本体と、
前記栓本体に設けられ、前記ガス通路を開放する開位置と閉塞する閉位置との間で移動可能な弁体とを備えたガス栓であって、
前記栓本体は、
フレキシブル管が接続される上流側接続部と、
ガス消費器具に取り付けられた器具側接続部に接続される下流側接続部とを有し、
前記下流側接続部は、
前記器具側接続部の差し込み口に嵌入することによってロックされる、
ことを特徴とするガス栓。
【請求項２】
前記弁体は、
前記器具側接続部に対して前記下流側接続部がロックされると前記開位置に移動する一方、
前記器具側接続部に対する前記下流側接続部のロックが解除されると前記閉位置に移動するように構成されている、
ことを特徴とする請求項１に記載のガス栓。
【請求項３】
前記器具側接続部に対する前記下流側接続部の接続方向は、前記上流側接続部に対する前記フレキシブル管の接続方向と直交していることを特徴とする請求項１または請求項２に記載のガス栓。
【請求項４】
内部にガス通路が設けられた栓本体と、
前記栓本体に設けられ、前記ガス通路を開放する開位置と閉塞する閉位置との間で移動可能な弁体とを備えたガス栓の接続方法であって、
前記栓本体の上流側接続部にフレキシブル管を接続するフレキシブル管接続工程と、
前記フレキシブル管接続工程をおこなった後、ガス消費器具に取り付けられた器具側接続部に前記栓本体の下流側接続部を接続するガス消費器具接続工程とを含み、
前記ガス消費器具接続工程は、
前記下流側接続部を前記器具側接続部の差し込み口に嵌入することによりおこなわれる、
ことを特徴とするガス栓の接続方法。
【発明の詳細な説明】
【技術分野】
【０００１】
本発明は、ガス栓およびその接続方法に関し、特に、ガス消費器具に接続されるガス栓およびその接続方法に関するものである。
【背景技術】
【０００２】
従来から、ガス消費器具（例えば、ガスコンロ）と、ガス配管としてのフレキシブル管（ガスホース）とを接続する場合、これらの間にガス栓を介在させる技術が知られている（特許文献１参照）。
【０００３】
一般に、このようなガス栓を介した接続は、図５に示すように、
・ガス栓ｇｖの上流側接続部ａにフレキシブル管ｐを接続した後、下流側接続部ｂの自在ナットｂ１をガス消費器具ｇｆの器具側接続部ｃに締め込むか、または、
・ガス栓ｇｖの下流側接続部ｂをガス消費器具ｇｆの器具側接続部ｃに接続した後、フレキ管継手ａ１とフレキシブル管ｐとを接続する、
ことによりおこなわれる。
【０００４】
このような従来の接続方法によれば、ガス消費器具とガス配管とを比較的容易に接続することが可能である。
【先行技術文献】
【特許文献】
【０００５】
【特許文献１】特開２００９−２９９７１１号公報
【発明の概要】
【発明が解決しようとする課題】
【０００６】
しかしながら、このような従来の接続方法では、器具側接続部ｃ廻りの比較的狭いスペースにおいて、工具（例えば、レンチ）による自在ナットｂ１の締め付けや、フレキ管継手ａ１に対するフレキシブル管ｐの接続をおこなわなければならないため、このような作業をおこないにくい、といった問題があった。
【０００７】
ところで、ガス消費器具ｇｆおよびフレキシブル管ｐを接続した状態で、これらの内部に空気が混じっている場合、ガス消費器具ｇｆを用いて、ガスを燃焼させつつ、空気を排気（エアパージ）する作業をおこなうのが一般的である。
【０００８】
しかしながら、工事現場によっては、例えば、火気の使用が制限される場合（例えば、そのタイミングで塗装作業をおこなっている場合）が少なくなく、かかる場合、上述したような手法でエアパージをすることができない、といった問題が生じる。
【０００９】
このような問題は、フレキシブル管ｐが接続されたガス栓ｇｖに、エアパージをおこなうための治具（例えば、いわゆるガス吸着容器、以下、「エアパージ用治具」と称す）を接続することによって解消することが可能である。
【００１０】
しかしながら、従来のガス栓ｇｖでは、下流側接続部ｂが自在ナットｂ１であるため、これと接続可能な接続部をエアパージ用治具に設けたとしても、エアパージをおこなう際に、自在ナットｂ１を捻じ込まなければならず、その作業が煩雑になるおそれが生じる。
【００１１】
本発明は、このような課題を改善するためになされたものであり、その目的は、ガス消費器具とガス配管との接続作業およびエアパージ作業を容易におこなうことが可能なガス栓およびその接続方法を提供することにある。
【課題を解決するための手段】
【００１２】
上記課題は、本発明にかかるガス栓によれば、内部にガス通路が設けられた栓本体と、前記栓本体に設けられ、前記ガス通路を開放する開位置と閉塞する閉位置との間で移動可能な弁体とを備えたガス栓であって、前記栓本体は、フレキシブル管が接続される上流側接続部と、ガス消費器具に取り付けられた器具側接続部に接続される下流側接続部とを有し、前記下流側接続部は、前記器具側接続部の差し込み口に嵌入することによってロックされる、ことにより解決される。
【００１３】
また、上記課題は、本発明にかかるガス栓の接続方法によれば、内部にガス通路が設けられた栓本体と、前記栓本体に設けられ、前記ガス通路を開放する開位置と閉塞する閉位置との間で移動可能な弁体とを備えたガス栓の接続方法であって、前記栓本体の上流側接続部にフレキシブル管を接続するフレキシブル管接続工程と、前記フレキシブル管接続工程をおこなった後、ガス消費器具に取り付けられた器具側接続部に前記栓本体の下流側接続部を接続するガス消費器具接続工程とを含み、前記ガス消費器具接続工程は、前記下流側接続部を前記器具側接続部の差し込み口に嵌入することによりおこなわれる、ことによっても解決される。
【００１４】
上記構成では、ガス配管としてのフレキシブル管をガス消費器具（例えば、ガスコンロ）に接続する場合、
・第一に、栓本体の下流側接続部にフレキシブル管を接続する、
・第二に、栓本体の上流側接続部を器具側接続部の差し込み口に嵌入させてロックする、
といった手順でおこなうことができるように構成されている。
【００１５】
すなわち、上記構成では、フレキシブル管が接続されたガス栓をガス消費器具の器具側接続部に差し込むだけで、フレキシブル管とガス消費器具との接続作業が完了するため、その作業が極めて簡単である。
【００１６】
また、上記構成によれば、エアパージ用治具に器具側接続部と同様な接続部を設けることによって、エアパージ用治具にガス栓を容易に接続することが可能なため、ガス消費器具とフレキシブル管とを接続する前にエアパージをおこなう場合であっても、煩雑さを伴うことなく、その作業を容易におこなうことができる。
【００１７】
このように、上記構成では、ガス消費機器とガス配管との接続作業に加え、エアパージ作業も容易におこなうことが可能である。
【００１８】
また、上記ガス栓にかかる発明においては、前記弁体は、前記下流側接続部が前記ガス機器側接続部に係止されると開位置に移動する一方、前記ガス機器側接続部に対する前記下流側接続部の係止が解除されると閉位置に移動するように構成されている、と好適である。
【００１９】
なお、上記ガス栓にかかる発明においては、前記ガス機器側接続部に対する前記下流側接続部の接続方向は、前記上流側接続部に対する前記フレキシブル管の接続方向と直交している、と好適である。
【発明の効果】
【００２０】
以上のように、本発明にかかるガス栓およびその接続方法によれば、簡易な構成でありながらも、ガス消費器とガス配管との接続作業のみならず、エアパージ作業も容易におこなうことができる。
【図面の簡単な説明】
【００２１】
【図１】本実施形態にかかるガス消費器具を説明するための説明図である。
【図２】本実施形態にかかるガス栓の一例を示す説明図である。
【図３】図２のガス栓の断面図である。
【図４】本実施形態にかかるガス栓の接続方法を示すフロー図である。
【図５】従来のガス栓を説明するための説明図である。
【発明を実施するための形態】
【００２２】
以下、本発明の一形態を図面に基づいて説明する。図１は本実施形態にかかるガス消費器具を説明するための説明図、図２は本実施形態にかかるガス栓の一例を示す説明図、図３は図２のガス栓の断面図、図４は本実施形態にかかるガス栓の接続方法を示すフロー図である。
【００２３】
図１は、本実施形態にかかるガス栓１を介して、ガスコンロ２０にフレキシブル管Ｐが接続されている様子を示す図である。なお、上記ガスコンロ２０と、フレキシブル管Ｐと、ガス栓１とが、特許請求の範囲に記載の「ガス消費器具」と、「フレキシブル管」と、「ガス栓」とに該当する。
【００２４】
本実施形態にかかるガス栓１の構成を説明する前に、ガスコンロ２０およびフレキシブル管Ｐについて図１を参照しつつ説明する。
図１に示すように、本実施形態にかかるガスコンロ２０は、システムキッチンＳＫのカウンタＣに形成されたコンロ挿入口（図示省略）に上方から差し込み装着される、いわゆる、ビルトイン形式のものである。また、このシステムキッチンＳＫは、装着されたガスコンロ２０の下方に、物を収納することが可能な収納スペースＳが形成される構成となっている。
【００２５】
ガスコンロ２０の下部には、システムキッチンＳＫに装着された状態で、収納スペースＳ内に露出するガス導入口２１が形成されている。このガス導入口２１は、その外周部に、後述するソケット継手５０のガス消費器具接続部５０Ｂ（雌ネジ）と螺合可能な雄ネジが形成されている（図２参照）。なお、上記ソケット継手５０が特許請求の範囲に記載の「器具側接続部」に該当する。
【００２６】
フレキシブル管Ｐは、その形状を手で曲げることによって長手方向に変形させることが可能な金属部材（例えば、ステンレス）からなる配管材であって、その一端側が、収納スペースＳや壁Ｗ内を経由して、不図示のガスメータ等に接続されている。
【００２７】
次に、ガス栓１について図２および図３を参照しつつ説明する。
図２および図３に示すように、ガス栓１は、略Ｌ字状に形成された栓本体２と、栓本体２の内部に設けられた弁体１０とを備えている。
【００２８】
栓本体２は、フレキシブル管Ｐに接続される管接続部２Ａと、後述するソケット継手５０のガス栓接続部５０Ａに接続されるソケット継手接続部２Ｂと、管接続部２Ａとソケット継手接続部２Ｂとを連通するガス通路３とを備えている。なお、上記管接続部２Ａと、ソケット継手接続部２Ｂと、ガス通路３とが、それぞれ、特許請求の範囲に記載の「上流側接続部」と、「下流側接続部」と、「ガス通路」とに該当する。
【００２９】
管接続部２Ａは、フレキシブル管Ｐの管端を挿入可能な差し込み口２Ａａと、差し込み口２Ａａの外周部を覆うように螺合する管用継手（ふくろ継手）２Ａｂとを備えている。
【００３０】
フレキシブル管Ｐは、管接続部２Ａの差し込み口２Ａａに差し込んだ状態で、管用継手２Ａｂをレンチ等の治具で締め付けることによって栓本体２に接続されるように構成されている。一方、管接続部２Ａに対するフレキシブル管Ｐの取り外しは、これとは逆の手順を踏むことによりおこなうことが可能である。なお、本実施形態では、フレキシブル管Ｐを差し込み口２Ａａに差し込んだ後、管用継手２Ａｂを締め込むタイプのガス栓１を示したが、その他の接続方式によるガス栓、例えば、差し込み口にフレキシブル管Ｐを差し込むだけでその接続が完了するタイプのガス栓を用いることも可能である。
【００３１】
ソケット継手接続部２Ｂは、ソケット継手５０に差し込み挿入することが可能な筒形状を有し、その外周に、後述するソケット継手５０のボール５４が係合可能な凹溝２Ｂａが形成されている。
【００３２】
ここで、ソケット継手接続部２Ｂに接続されるソケット継手について図３を参照しつつ説明する。
図３に示すように、ソケット継手５０は、後述するガス栓１のソケット継手接続部２Ｂに接続可能なガス栓接続部５０Ａと、ガスコンロ２０のガス導入口２１に接続可能なガス消費器具接続部５０Ｂとを有している。
【００３３】
ガス栓接続部５０Ａは、公知のガスコンセントに接続可能なソケットと同様であるため、詳しい説明を省略するが、本実施形態も、内側移動部５２、外側移動部５３、ボール５４および押し具５５などを有している。
【００３４】
内側移動部５２は、本体部５１の内部において、軸方向に沿って移動自在に設けられ、ガス栓接続部５０Ａをガス栓１に接続した状態で、バネ５６の付勢力に抗してガス消費器具接続部５０Ｂ側に向けて移動されるように構成されている。
【００３５】
外側移動部５３は、本体部５１の外部において、軸方向に沿って移動自在に設けられ、ガス栓１をガス栓接続部５０Ａに接続した状態で、バネ５７の付勢力によってガス栓１に向けて移動されるように構成されている。
【００３６】
ボール５４は、本体部５１の外壁に形成された孔部に貫通可能に配置されている。このボール５４は、ガス栓１をガス栓接続部５０Ａに接続すると、内側移動部５２のガスコンロ２０側への移動、および、外側移動部５３のガス栓１側への移動に伴って、外側移動部５３に覆われた状態でガス栓１の凹溝２Ｂａに嵌合するように構成されている。
【００３７】
ボール５４および凹溝２Ｂａが嵌合した状態では、ボール５４が凹溝２Ｂａと外側移動部５３との間に狭持され、これにより、ガス栓１とソケット継手５０との接続状態が保持されるようになっている。なお、ソケット継手５０からのガス栓１の取り外しは、外側移動部５３をガスコンロ２０側へ移動させて、ボール５４と凹溝２Ｂａとの嵌合状態を解除すればよい。
【００３８】
押し具５５は、本体部５１の内部に配置された棒状部材であって、ガス栓１をガス栓接続部５０Ａに接続した状態で、後述する弁体１０を栓本体２の内方へ押圧移動させて開弁状態（ガス供給状態）にするためのものである。
【００３９】
ガス消費器具接続部５０Ｂは、その内周部に、ガス導入口２１と螺合可能な雌ネジが形成されている。
ガスコンロ２０へのソケット継手５０の取り付けは、ガス導入口２１の雄ネジとガス消費器具接続部５０Ｂの雌ネジとを螺合させた状態で、ソケット継手５０をレンチ等の治具を用いて締め込むことによりおこなうことが可能となっている。なお、本実施形態では、ガス導入口２１側を雄ネジ、ソケット継手５０側を雌ネジとしたものを例示するが、ガス導入口２１側を雌ネジ、ソケット継手５０側を雄ネジとすることも可能である。
【００４０】
次に、ガス栓１の弁体１０について図２および図３を参照しつつ説明する。
図２および図３に示すように、弁体１０は、公知のガスコンセントに用けられる弁体と同様であるため、詳しい説明を省略するが、本実施形態も、第１弁体１１と、第２弁体１２とを有している。
【００４１】
第１弁体１１は、ソケット継手接続部２Ｂ側のガス通路３の内部において、軸方向に沿って移動自在に設けられている。この第１弁体１１は、ガス栓１がソケット継手５０に接続されていない状態で、バネ１５により付勢され、第１弁座１３を閉塞する閉位置に配置されるようになっている。なお、第１弁体１１は、ガス栓１がソケット継手５０に接続された状態で、押し具５５により押し込まれ、バネ１５の付勢力に抗してガス通路３（第１弁座１３）を開放する開位置に移動されるように構成されている。
【００４２】
第２弁体１２は、第１弁体１１の一方の端部に嵌入され、ソケット継手接続部２Ｂ側のガス通路３の内部において、第１弁体１１と同様、軸方向に沿って移動自在に設けられている。
【００４３】
この第２弁体１２は、ガス栓１がソケット継手５０に接続されていない状態で、栓本体２との間に設けられるバネ１６により付勢され、ガス通路３（第２弁座１４）を閉塞する閉位置に配置されるようになっている。なお、この第２弁体１２は、ガス栓１がソケット継手５０に接続された状態で、押し具５５により押し込まれ、第２弁座１４を開放する開位置に移動されるように構成されている。
【００４４】
次に、このように形成されたガス栓１のガスコンロ２０への取付手順（本実施形態にかかるガス栓１の接続方法）について図２〜図４を参照しつつ説明する。
なお、以下においては、
（ａ）メータコック等の開閉弁を開くことにより、フレキシブル管Ｐにガスを供給することができ、かつ、
（ｂ）ガスコンロ２０にソケット継手５０が接続されている、
状態となっていることを前提として説明する。
【００４５】
図４に示すように、本実施形態にかかるガス栓１の接続方法は、フレキシブル管接続工程Ａと、ガス供給工程Ｂと、エアパージ工程Ｃと、ガスコンロ接続工程Ｄとを備えている。なお、上記フレキシブル管接続工程Ａと、ガスコンロ接続工程Ｄとが、それぞれ、特許請求の範囲に記載の「フレキシブル管接続工程」と、「ガス消費器具接続工程」とに該当する。
【００４６】
（フレキシブル管接続工程Ａ）
図４に示すように、本実施形態にかかるガス栓１の接続方法では、まず、フレキシブル管接続工程Ａをおこなうように構成されている。以下、フレキシブル管接続工程Ａについて図２および図３を参照しつつ説明する。
図２および図３に示すように、フレキシブル管接続工程Ａでは、フレキシブル管Ｐをガス栓１の管接続部２Ａに接続する作業をおこなう。
【００４７】
具体的には、ガス栓１に対するフレキシブル管Ｐの接続は、フレキシブル管Ｐの管端をガス栓１の差し込み口２Ａａに差し込んだ後、レンチ等の治具を用いて管用継手２Ａｂを締め付けることによりおこなわれる。
フレキシブル管接続工程Ａは、フレキシブル管Ｐをガス栓１に接続することで終了し、その後、次工程であるガス供給工程Ｂがおこなわれる。なお、上述したように、差し込み口にフレキシブル管Ｐを差し込むだけでその接続が完了するタイプのガス栓を用いた場合にあっては、差し込み口にフレキシブル管Ｐを差し込むことで、本フレキシブル管接続工程Ａを終了することが可能である。
【００４８】
（ガス供給工程Ｂ）
ガス供給工程Ｂでは、ガスメータ廻りに配設されるメータコック等の開閉弁を「開」状態にして、硬質ガス管Ｐｈおよびフレキシブル管Ｐを介してガス栓１にガスを供給する作業をおこなう。
この状態で、ガス栓１の弁体１０（第１弁体１１および第２弁体１２）は、「閉」状態にあるため、ソケット継手接続部２Ｂからガスが漏出することはない。
ガス供給工程Ｂは、ガス栓１にガスを供給する作業をおこなうことで終了し、その後、次工程であるエアパージ工程Ｃがおこなわれる。
【００４９】
（エアパージ工程Ｃ）
エアパージ工程Ｃでは、硬質ガス管Ｐｈ、フレキシブル管Ｐおよびガス栓の内部に混在する空気を、エアパージをするための治具（図示省略、例えば、ガス吸着容器、以下、「エアパージ用治具」と称す）を用いて排気（パージ）する作業をおこなう。
【００５０】
なお、このような作業は、エアパージ用治具（に接続される耐圧ホース等）に、予めソケット継手５０と同様な継手を取り付けておくことで簡便におこなうことができる。
すなわち、このようにすれば、ガス栓１のソケット継手接続部２Ｂに、エアパージ用治具のコンセント継手を差し込むだけで、ガス栓１の弁体１０（第１弁体１１および第２弁体１２）を自動的に「開」状態にすることができ、フレキシブル管Ｐ等に混在する空気をエアパージ用治具に送り込むことが可能となる。
【００５１】
なお、ガス栓１からソケット継手を取り外す場合、ソケット継手の外側移動部（ソケット継手５０の外側移動部５３参照）をガス栓１側へ移動させればよい。この状態では、ガス栓１の弁体１０（第１弁体１１および第２弁体１２）が自動的に「閉」状態になるため、ガス栓１のソケット継手接続部２Ｂからガスが漏出することはない。
【００５２】
エアパージ工程Ｃは、フレキシブル管Ｐ等の内部に混在する空気をパージすることで終了し、その後、ガスコンロ接続工程Ｄがおこなわれる。
【００５３】
（ガスコンロ接続工程Ｄ）
ガスコンロ接続工程Ｄでは、（フレキシブル管Ｐが接続された）ガス栓１をガスコンロ２０に接続する作業をおこなう。
具体的には、ガスコンロ２０に取り付けられたソケット継手５０に、ガス栓１のソケット継手接続部２Ｂを差し込む作業をおこなう。
【００５４】
これにより、ガス栓１とソケット継手５０との接続状態が保持された状態で、ガスコンロ２０にガスが自動的に供給されることとなる。
その後、ガスコンロ２０の燃焼確認等をおこなうことにより、本ガス栓１の取付方法による作業が終了する。
【００５５】
なお、ガス栓１をソケット継手５０（ガスコンロ２０）から取り外す場合、ソケット継手５０の外側移動部５３をガスコンロ２０へ移動させて、ボール５４と凹溝２Ｂａとの嵌合状態を解除すればよい。また、この状態では、ガス栓１の弁体１０（第１弁体１１および第２弁体１２）が自動的に「閉」状態になるため、ガス栓１のソケット継手接続部２Ｂからガスが漏出することはない。
【００５６】
以上のように、本実施形態では、フレキシブル管Ｐをガスコンロ２０に接続する場合、
（ａ）栓本体２（ガス栓１）の管接続部２Ａにフレキシブル管Ｐを接続する、
（ｂ）栓本体２のソケット継手接続部２Ｂをガスコンロ２０に取り付けられたソケット継手５０に嵌入させてロックする、
といった手順を踏むように構成されている。
【００５７】
すなわち、本実施形態では、フレキシブル管Ｐが接続されたガス栓１を、ガスコンロ２０に取り付けられたソケット継手５０に差し込むだけで、フレキシブル管Ｐとガスコンロ２０との接続作業が完了するため、その作業が極めて簡単である。
【００５８】
また、本実施形態によれば、エアパージ用治具に、ソケット継手５０と同様な継手を設けることによって、エアパージ用治具にガス栓１を容易に接続することが可能なため、ガスコンロ２０とフレキシブル管Ｐとを接続する前にエアパージをおこなう場合であっても、煩雑さを伴うことなく、その作業を容易におこなうことができる。
【００５９】
さらに、本実施形態では、ソケット継手５０に差し込むだけで「開」状態に、また、ソケット継手５０から取り外すだけで「閉」状態となるガス栓１、すなわち、従来のような「つまみ」が設けられていないタイプのガス栓１（図５参照）を用いているため、部品点数の削減や美観の向上を図ることが可能である。
【００６０】
なお、本実施形態では、ガス栓１をソケット継手５０に接続した後、外側移動部５３を移動させることでソケット継手５０から容易に取り外すことができるように構成したが、容易に取り外すことができないように構成することも可能である。この場合、例えば、図３（ｂ）に示すように、ガス栓１をソケット継手５０に接続した後、これらを、特殊な先端形状を有するドライバーを用いなければ、取り外すことが困難なネジ１００（例えば、三角形）で結合したり、また、これら（少なくともソケット継手５０の外側移動部５３）を覆う部材を取り外し困難な態様で取り付ければよい。
【００６１】
さらに、本実施形態では、ガス栓１が接続されるガス消費器具としてガスコンロ２０を例示したが、これに限られず、ありとあらゆるガス消費器具に本発明を適用することが可能である。
【００６２】
また、本実施形態では、ガスコンロ２０（ソケット継手５０）からガス栓１を取り外すと、自動的に「閉」状態になるタイプのガス栓１を用いたが、これに代えて、弁体の開閉状態を手動で変更するタイプのガス栓（いわゆる「つまみ」が設けられたガス栓）を用いることも可能である。
【００６３】
以上、本発明者によってなされた発明を適用した実施形態について説明したが、この実施形態による本発明の開示の一部をなす論述および図面により、本発明は限定されるものではない。すなわち、この実施形態に基づいて当業者等によりなされる他の実施形態、実例および運用技術等はすべて本発明の範疇に含まれることはもちろんであることを付け加えておく。
【符号の説明】
【００６４】
１  ガス栓
２  栓本体
２Ａ  管接続部
２Ａａ  差し込み口
２Ａｂ  管用継手
２Ｂ  ソケット継手接続部
２Ｂａ  凹溝
３  ガス通路
１０  弁体
１１  第１弁体
１２  第２弁体
１３  第１弁座
１４  第２弁座
１５  バネ
１６  バネ
２０ガスコンロ
２１  ガス導入口
５０  ソケット継手
５０Ａ  ガス栓接続部
５０Ｂ  ガス消費器具接続部
５１  本体部
５２  内側移動部
５３  外側移動部
５４  ボール
５５  押し具
５６  バネ
５７  バネ
１００  ネジ
Ｐ  フレキシブル管
ＳＫ  システムキッチン
Ｃ  カウンタ
Ｓ  収納スペース
Ｗ  壁
【図１】
2019199917.tif 000003
【図２】
2019199917.tif 000004
【図３】
2019199917.tif 000005
【図４】
2019199917.tif 000006
【図５】
2019199917.tif 000007